(57)【要約】      （修正有）【課題】警備システム端末にて管理される装置情報の登録、登録解除を自動化する画像形成装置、誤警報防止システムを提供する。【解決手段】画像形成装置３００は、ＩＣカード９１の読み取り操作をともなう装置情報の登録要求、もしくは、装置情報の登録解除操作を検知すると、ＩＣカード９１に記録された警備システム端末２０のアドレス宛に、画像形成装置３００のネットワーク５０におけるアドレス、装置名を通知して、端末管理情報２５１への登録、登録解除を指示する。警備システム端末２０は、画像形成装置３００から通知された装置情報に基づいて、警備センサ６０の作動、作動解除を通知した画像形成装置３００に設定された装置情報のメンテナンスを行う。【選択図】  図１
2006272701.tif 000002
【特許請求の範囲】
【請求項１】
警備センタへの警報通知機能を具備する警備システム端末に接続された画像形成装置において、
前記警備システム端末の端末情報を取得する端末情報取得手段と、
前記端末情報取得手段で取得した前記警備システム端末の端末情報に基づき自装置の装置情報を前記警備システム端末へ自動通知する通知手段と、
前記通知手段で通知した前記装置情報に基づき前記警備システム端末から送信された警報ステータス情報を受信する受信手段と、
前記受信手段により受信した警報ステータス情報に対応して装置動作を警備センサ対応モードに制御する制御手段と
を具備することを特徴とする画像形成装置。
【請求項２】
前記端末情報取得手段は、
前記警備システム端末の端末情報を該端末情報が記憶された可搬記憶媒体から読み取ることにより取得する
ことを特徴とする請求項１記載の画像形成装置。
【請求項３】
前記警備センサ対応モードは、
前記警備システム端末が監視する各種警備センサに反応する自動プリントジョブおよび可聴音による報知を禁止する動作モードである
ことを特徴とする請求項１または２記載の画像形成装置。
【請求項４】
前記警備センサ対応モードは、
装置を省エネルギー状態に制御する省エネルギーモードである
ことを特徴とする請求項１または２記載の画像形成装置。
【請求項５】
前記制御手段は、
前記受信手段で受信した前記警報ステータス情報が前記警備システム端末の警報機能作動を示す場合は、前記装置電源をオフに制御する
ことを特徴とする請求項１または２記載の画像形成装置。
【請求項６】
警備センタへの警報通知機能を具備する警備システム端末に画像形成装置を接続した誤警報防止システムであって、
前記画像形成装置は、
前記警備システム端末の端末情報を取得する端末情報取得手段と、
前記端末情報取得手段で取得した前記警備システム端末の端末情報に基づき自装置の装置情報を前記警備システム端末へ自動通知する装置情報通知手段と、
前記警備システム端末から送信された警報ステータス情報を受信する受信手段と、
前記受信手段により受信した警報ステータス情報に対応して装置動作を警備センサ対応モードに制御する制御手段と
を具備し、
前記警備システム端末は、
前記装置情報通知手段で通知された装置情報を登録する登録手段と、
前記登録手段により登録された装置情報に基づき前記画像形成装置へ警報ステータス情報を送信する送信手段と
を具備することを特徴とする誤警報防止システム。
【請求項７】
前記警備システム端末は、
前記登録手段による登録結果を前記登録手段に登録された装置情報に基づき前記画像形成装置へ通知する登録結果通知手段
を更に具備することを特徴とする請求項６記載の誤警報防止システム。
【請求項８】
前記警備システム端末は、
前記制御手段により前記装置動作の制御が完了した後前記警報通知機能を有効にする
ことを特徴とする請求項６記載の誤警報防止システム。
【発明の詳細な説明】
【技術分野】
【０００１】
本発明は、警備システムに警報を通知する警備システム端末が送信する警備センサの作動、作動解除通知をネットワーク経由で受信して動作制御を行う画像形成装置、および、誤警報防止システムに関し、特に、警備システム端末が管理する装置情報の登録、登録解除を自動化する技術に関する。
【背景技術】
【０００２】
ファクシミリデータの受信による夜間の自動受信印刷機能によって、省エネルギーモードでのスリープ状態から復帰し、印刷処理を行うと、印刷処理の際に発する熱、可聴音、光等が室内設定された各種センサに反応し、セキュリティ会社に誤って警報の連絡がはいるといった問題が発生している。
【０００３】
警備システムによって監視される警備エリアに設置された画像形成装置は、警備センサが作動した場合は、センサに反応する動作を禁止する制御が必要となる。
【０００４】
そこで、画像形成装置の動作を禁止にする技術として、操作部からの禁止設定操作によって複合機のコピー、ファクシミリ機能、スキャナ機能を、個別に禁止する技術として特許文献１に記載された「原稿読取記憶装置」がある。
【０００５】
また、管理サーバにより複合機に搭載した複数のアプリケーションの実行を個別に制御する技術として特許文献２に記載された「アプリ実行制御システム、アプリ実行制御方法およびその方法をコンピュータに実行させるプログラムを記録したコンピュータ読み取り可能な記憶媒体」がある。
【特許文献１】特開２００４−０８８２７４号公報。
【特許文献２】特開２００２−１０８４７５号公報。
【発明の開示】
【発明が解決しようとする課題】
【０００６】
警備システムは、通常、最終退勤者が作動開始操作を行っているので警備センサが作動する時間は不規則である。
【０００７】
従って、上記特許文献に示した、プリンタの動作設定を個別に切り替える設定手段により、固定の時間帯を設定して切り替え制御する方法では、上記誤警報の問題を解決できないといった問題がある。
【０００８】
ファクシミリの自動受信印刷機能を有した画像形成装置は、夜間においても電源ＯＦＦしないマシンとそうでない装置を選別し、最終退勤者は手動で個別に電源ＯＦＦ操作を行う必要がある。
【０００９】
従って、設置台数が多い場合は非常に面倒であり、電源ＯＦＦの実施漏れが生じた場合、同様に上記誤警報の原因となってしまうといった問題がある。
【００１０】
一方、複数台の画像形成装置に対する電源を管理端末にて一元管理する方法もあるが、装置情報の登録、変更、削除を管理者の人手により実施するのは手間がかかり、また、登録ミスが生じた場合、電源ＯＦＦし忘れと同様に、上記誤警報の原因となってしまうといった問題がある。
【００１１】
さらに、レイアウト変更が発生する度に、装置情報、電源管理情報のメンテナンス作業が発生するといった問題が生じた。
【００１２】
よって、本発明は、誤警報を防止するとともに、警備システムが管理する装置情報の登録、登録解除を自動化することができる画像形成装置、誤警報防止システムの提供を目的とする。
【課題を解決するための手段】
【００１３】
上記目的を達成するために、請求項１の発明は、警備センタへの警報通知機能を具備する警備システム端末に接続された画像形成装置において、警備システム端末の端末情報を取得する端末情報取得手段と、端末情報取得手段で取得した警備システム端末の端末情報に基づき自装置の装置情報を警備システム端末へ自動通知する通知手段と、通知手段で通知した装置情報に基づき警備システム端末から送信された警報ステータス情報を受信する受信手段と、受信手段により受信した警報ステータス情報に対応して装置動作を警備センサ対応モードに制御する制御手段とを具備することを特徴とする。
【００１４】
また、請求項２の発明は、請求項１の発明において、端末情報取得手段は、警備システム端末の端末情報を該端末情報を記憶した可搬記憶媒体から読み取ることにより取得することを特徴とする。
【００１５】
また、請求項３の発明は、請求項１または２の発明において、警備センサ対応モードは、警備システム端末が監視する各種警備センサに反応する自動プリントジョブおよび可聴音による報知を禁止する動作モードであることを特徴とする。
【００１６】
また、請求項４の発明は、請求項１または２の発明において、警備センサ対応モードは、装置を省エネルギー状態に制御する省エネルギーモードであることを特徴とする。
【００１７】
また、請求項５の発明は、請求項１または２の発明において、制御手段は、受信手段で受信した警報ステータス情報が警備システム端末の警報機能作動を示す場合は、装置電源をオフに制御することを特徴とする。
【００１８】
また、請求項６の発明は、警備センタへの警報通知機能を具備する警備システム端末に画像形成装置を接続した誤警報防止システムであって、画像形成装置は、警備システム端末の端末情報を取得する端末情報取得手段と、端末情報取得手段で取得した警備システム端末の端末情報に基づき自装置の装置情報を警備システム端末へ自動通知する装置情報通知手段と、警備システム端末から送信された警報ステータス情報を受信する受信手段と、受信手段により受信した警報ステータス情報に対応して装置動作を警備センサ対応モードに制御する制御手段とを具備し、警備システム端末は、装置情報通知手段で通知された装置情報を登録する登録手段と、登録手段により登録された装置情報に基づき画像形成装置へ警報ステータス情報を送信する送信手段とを具備することを特徴とする。
【００１９】
また、請求項７の発明は、請求項６の発明において、警備システム端末は、登録手段による登録結果を登録手段に登録された装置情報に基づき画像形成装置へ通知する登録結果通知手段を更に具備することを特徴とする。
【００２０】
また、請求項８の発明は、請求項６の発明において、警備システム端末は、制御手段により装置動作の制御が完了した後警報通知機能を有効にすることを特徴とする。
【発明の効果】
【００２１】
警備システム端末が管理する装置情報を登録、登録解除を自動化するので、警備システムにおける管理、運用コストを削減するとともに、装置情報の不整合が原因による誤警報の発生を防止することができる。
【発明を実施するための最良の形態】
【００２２】
本発明の画像形成装置、誤警報防止システムの実施の形態について添付図面を参照しながら説明する。
【実施例１】
【００２３】
図１は、本発明の画像形成装置、誤警報防止システムの例を示すシステム構成図である。
【００２４】
図１において、画像形成装置３００は、警備エリア８３を警備センサ６０にて警備する警備システム端末２０にネットワーク５０経由で接続される。
【００２５】
警備システム端末２０に対する警備センサ６０の作動開始操作が行われると、警備システム端末２０は、各画像形成装置３００に対して、警備センサ６０の作動を通知する「警備ステータス」を送信する。
【００２６】
画像形成装置３００は、警備ステータスを受信により警備センサ６０の作動が通知されると、警備センサ６０に反応する熱、音、光を発する動作を禁止にする動作モードの切り替え制御を行う。
【００２７】
具体的には、ファクシミリデータの受信、印刷ジョブの受信による自動印刷機能を禁止にし、省エネルギーモードへの移行、あるいは、電源のＯＦＦの制御を行い誤警報の発生を防止する。
【００２８】
この自動印刷機能を禁止している夜間等において、公衆回線７０を介してファクシミリデータを受信した場合、あるいは、ネットワーク５０経由での印刷ジョブを受信すると自動プリント機能を禁止し、転送設定条件、蓄積設定条件に基づいて、受信したデータの転送もしくは蓄積処理を行い、省エネルギーモードへの移行制御を行う。
【００２９】
また、画像形成装置３００は、電源ＯＮ操作、電源ＯＦＦ操作、あるいは、ＩＣカード９１の読み取り操作をともなう端末情報の登録要求、登録解除要求の操作を警備システム端末２０に通知すると、警備システム端末２０は、警備センサ６０の作動、作動解除を通知する画像形成装置３００を管理する端末管理情報に対し、端末情報の登録、登録解除を自動で処理する機能を有する。
【００３０】
図２は、図１に示した警備システム端末の制御構成を示すブロック図である。
【００３１】
警備システム端末２０は、システム制御部２１、通信制御部２２、操作表示部２３、記憶部２５、センサ管理部２６を有する。
【００３２】
システム制御部２１は、警備システム端末２０全体を制御し、警備センサ６０にて検出される異常を警備センタ装置１０に通知する従来の警備システムの制御を行うとともに、ネットワーク５０を介して接続される各画像形成装置３００の装置情報を端末管理情報２５１に自動登録して管理する機能を有する。
【００３３】
また、リモート制御部２１１は、警備センサ６０の作動、作動解除を画像形成装置３００に送信する警備ステータスの通知機能を有する。
【００３４】
通信制御部２２は、ＩＰ網通信制御部２２１と、公衆網通信制御部２２２を有する。
【００３５】
ＩＰ網通信制御部２２１は、ネットワーク５０を介して接続される画像形成装置３００に対して警備ステータスの送信を行い、画像形成装置３００から送信される端末情報の登録要求、登録解除要求の通知データを受信してシステム制御部２１に出力する。
【００３６】
公衆網通信制御部２２２は、公衆回線７０を介して接続される警備センタ装置１０に対して、警備センサ６０の作動通知信号、警備センサ６０の作動解除信号、警備センサ６０による異常検出信号の送信を行う。
【００３７】
操作表示部２３は、警備システム端末２０に対する警備センサ６０の作動操作、警備センサ６０の作動解除操作、警備ステータスを通知する画像形成装置３００の登録、削除操作、登録した画像形成装置３００に対する電源制御情報３１３、動作制御情報３１４の設定操作を行うための入力キー、表示器を有するユーザーインターフェースである。
【００３８】
記憶部２５は、警備システム端末２０を制御するためのシステムパラメータ、制御プログラムを記憶して管理し、特に、警備ステータスを通知する画像形成装置３００を記憶して管理する端末管理情報２５１を記憶する。
【００３９】
端末管理情報２５１は、図３に示すように、警備システム端末２０が警備ステータスを通知する画像形成装置３００のアドレス情報、装置名称を記録して管理する。
【００４０】
センサ管理部２６は、音、光、熱に反応する警備センサ６０の作動、作動停止を制御するとともに、異常を検出した警備センサ６０の識別情報、および検出内容をシステム制御部２１に出力する。
【００４１】
図４は、図１に示した画像形成装置の制御構成を示すブロック図である。
【００４２】
図４において、画像形成装置３００は、画像形成装置制御部３０１、リモート制御部３０２、通信制御部３０３、画像処理部３０４、画像形成装置記憶部３０５、スキャナユニット３０８、プリンタユニット３０９、ＦＡＸユニット３１０、操作パネル３１１、ＩＣカード９１読み取り制御部３２２、電源制御部３１２を有する。
【００４３】
画像形成装置制御部３０１は、画像形成装置３００全体の制御を行う。
【００４４】
リモート制御部３０２は、警備システム端末２０から受信した警備ステータスの解析を行って、「警備センサ対応モード」、「通常モード」の切り替えをシステム制御部２１に指示する。
【００４５】
また、画像形成装置制御部３０１は、画像蓄積部３０７にて使用可能な空き容量を管理する。
【００４６】
また、画像形成装置制御部３０１は、通信制御部２０３を介して受信した印刷データを、転送制御情報３１８に設定された転送プロトコル、転送データフォーマットにて転送先に転送するとともに、転送処理の内容を転送文書管理情報３２０に記録する転送制御を行う。
【００４７】
また、画像形成装置制御部３０１は、電源制御部３１２による電源のＯＮ、ＯＦＦを検出した場合、設定により、自装置の情報を警備システム端末２０に通知して装置情報３２１の自動登録、登録解除を要求する機能を有する。
【００４８】
通信制御部３０３は、ネットワーク５０経由で接続される警備システム端末２０との間でＴＣＰ／ＩＰによるデータ通信制御を行い、公衆回線７０を介したファクシミリ通信を行う。
【００４９】
画像処理部３０４は画像データの符号化、復号化、拡大、縮小処理を行う。
【００５０】
画像形成装置記憶部３０５は、画像形成装置３００の制御パラメータ、制御プログラムを記憶し、特に、電源制御情報３１３、画像蓄積部３０７、動作制御情報３１４、蓄積文書管理情報３１５、印刷禁止情報３１７、転送制御情報３１８、蓄積制御情報３１９、転送文書管理情報３２０、装置情報３２１、警備システム端末情報３２２を記憶する。
【００５１】
電源制御情報３１３には、図５（Ａ）に示すように、「警備センサ対応モード」に移行した際、電源ＯＦＦ、省エネルギーモードへの移行のいずれを実施するかの設定情報を記録し、省エネルギーモードへの移行レベルが複数段階ある場合には、その電源制御レベルが設定される。
【００５２】
動作制御情報３１４には、図５（Ｂ）に示すように、画像形成装置３００が提供する各機能に対し、「警備センサ対応モード」中での動作の禁止、あるいは、一部の動作を制限するための制御パラメータが記録される。
【００５３】
印刷禁止情報３１７には、画像形成装置３００におけるファクシミリデータの受信、印刷ジョブの受信による用紙への印刷処理を禁止するための制御フラグが記録され、「警備センサ対応モード」に移行する際は、この制御フラグが有効にセットされ、自動印刷機能が禁止される。
【００５４】
転送文書管理情報３２０には、例えば、転送した文書の識別情報、転送先のアドレス、転送、およびダウンロードの際に必要なパスワード、ユーザＩＤ等が記録される。
【００５５】
転送制御情報３１８には、画像蓄積部３０７の空き領域のサイズにて設定されるしきい値、転送対象となるデータの種別やデータサイズに対するしきい値、個別の転送制御が必要な受信回線の種別、発信元のドメイン情報、あるいは、発信者のアドレスの情報が設定して記憶され、転送する際には、転送プログラム、転送フォーマット、転送先の情報が記録される。
【００５６】
蓄積制御情報３１９には、例えば、蓄積したデータの種別毎に禁止にする設定、受信データの蓄積処理を制限するためのしきい値、蓄積領域の使用可能な空き領域のサイズにて設定して記録される。
【００５７】
蓄積文書管理情報３１５には、画像蓄積部３０７に蓄積したデータの識別情報、データの格納場所およびデータ名、受信した際の文書データの種別、蓄積したデータの保存形式が記録される。
【００５８】
スキャナユニット３０８は、所定の解像度にて原稿画像の読み取り処理を行う。
【００５９】
プリンタユニット３０９は、所定の解像度により画像の形成処理を行って、記録紙に対する印刷出力を行う。
【００６０】
ＦＡＸユニット３１０は、画像データの符号化、復号化処理を行い、公衆回線（ＩＳＤＮ網／ＰＳＴＮ網）を介したファクシミリ通信を行う。
【００６１】
操作パネル３１１は、画像形成装置３００に対する各種操作を行うための入力キー、表示器を有するユーザーインターフェースである。
【００６２】
画像処理部３０４は、ファクシミリデータ、ＰＤＬデータ、インターネットファクシミリデータのデコード処理を行って印刷する画像データの抽出および展開処理を行う。
【００６３】
画像形成装置制御部３０１は、印刷禁止情報３１７にて自動印刷機能の禁止が設定されている場合、受信した文書データ、あるいは、画像処理部３０４にてフォーマット変換された印刷イメージデータを画像蓄積部３０７に保存して蓄積し、蓄積した内容を蓄積文書管理情報３１５に登録する。
【００６４】
蓄積文書管理情報３１５は、画像蓄積部３０７に蓄積したデータの識別子、蓄積データの格納場所、蓄積データ形式が記録される。
【００６５】
装置情報３２１は、画像形成装置３００の装置名、ＩＰアドレスを含み警備システム端末２０が接続された画像形成装置を遠隔制御するために必要な情報が登録して管理される。
【００６６】
警備システム端末情報３２２は、装置情報３２１の登録要求、登録の解除要求データの送信先となる情報であり、ＩＣカード９１から読み取られた警備システム端末２０のアドレス、装置名が記録される。
【００６７】
操作表示部２３は、画像形成装置３００に対する自動印刷機能の禁止、禁止解除の切り替え操作、装置情報３２１の登録操作、登録解除を要求する操作を行うためのユーザーインターフェースである。
【００６８】
ＩＣカード読み取り部３０６は、警備システム端末２０にネットワーク５０を介して接続してデータ通信制御を行うためのＩＰアドレス、コンピュータ名、カードの識別情報を記録したＩＣカード９１の読み取り操作を検知する、ＩＣカード９１の読み取りに必要なＩＣカード読み取り装置９０に対する各種制御を画像形成装置制御部３０１からの指示に基づいて行う。
【００６９】
電源制御部３１２は、画像形成装置に対する電源制御を行い、電源ＯＮ操作による給電の開始、電源ＯＦＦ操作による給電の遮断を検知して画像形成装置制御部３０１に電源制御の種類と電源状態を画像形成装置制御部３０１に出力する。
【００７０】
図６は、ＩＣカード９１の使用による端末登録処理の動作を画像形成装置、警備システム端末それぞれについて示したフローチャートである。
【００７１】
画像形成装置３００は、ＩＣカードリーダ９０によるＩＣカード９１の読み取り操作をともなう自装置に登録された装置情報３２１の登録操作を検知し（Ｓ１０１）、ＩＣカード９１から読み取ったデータの解析処理を行う（Ｓ１０２）。
【００７２】
警備システム端末２０のアドレス、もしくは、コンピュータ名の読み取りに成功した  場合（Ｓ１０３ＹＥＳ）、画像形成装置３００は、装置情報３２１を含む、自装置の登録を指示する要求データを、ＩＣカード９１から読み取った警備システム端末２０宛に送信する（Ｓ１０４）。
【００７３】
警備システム端末２０は、画像形成装置３００から受信した要求データから装置情報３２１を抽出し（Ｓ１０５）、読み取った装置情報３２１を端末管理情報２５１に登録し、（Ｓ１０６）、警備システム端末２０は、登録結果を登録した３００に送信する（Ｓ１０７）。
【００７４】
また、装置情報３２１がすでに登録済みの場合、あるいは、登録に失敗した場合はその旨を応答データとして画像形成装置３００に送信する（Ｓ１０７）。
【００７５】
画像形成装置３００は、警備システム端末２０から結果を受信して解析し（Ｓ１０８）、装置情報３２１の登録に成功した場合（Ｓ１０９ＹＥＳ）は、登録処理の完了を、例えば、操作パネル３１１に表示し、登録済み、登録エラーの場合（Ｓ１０９ＮＯ）、エラー処理を行って登録処理を終了する（Ｓ１１０）。
【００７６】
図７は、端末情報の登録解除処理の動作を画像形成装置、警備システム端末それぞれにて示したフローチャートである。
【００７７】
画像形成装置３００において、操作パネル３１１におけるメニュー選択操作あるいは、特定ボタン操作によって、画像形成装置３００に設定された装置情報の登録解除操作を検知すると（Ｓ２０１）、画像形成装置３００は、警備システム端末情報３２２を確認して、装置情報の送信先が設定されているかをチェックする（Ｓ２０２）。
【００７８】
警備システム端末情報３２２が設定されていない場合（Ｓ２０２ＮＯ）、画像形成装置３００は、宛先設定エラーを操作パネル３１１表示してエラー処理を行う（Ｓ２１０）。
【００７９】
警備システム端末情報３２２が設定されている場合（Ｓ２０２ＹＥＳ）、画像形成装置３００は、装置情報３２１を通知して装置情報の登録解除を要求するデータを、警備システム端末情報３２２にて特定したアドレス宛にネットワーク５０経由で送信する（Ｓ２０３）。
【００８０】
警備システム端末２０は、受信した要求データから画像形成装置３００の装置情報を読み出し（Ｓ２０４）、読み出した装置情報が端末管理情報２５１の登録データを確認する（Ｓ２０５）。
【００８１】
端末管理情報２５１に受信した装置情報が登録されている場合（Ｓ２０５ＹＥＳ）、警備システム端末２０は、端末管理情報２５１から通知された登録情報を削除し（Ｓ２０６）、装置情報を削除したことを通知する応答データを、画像形成装置３００に送信する（Ｓ２０７）。
【００８２】
端末管理情報２５１に対する装置情報の登録解除に失敗した場合、もしくは、装置情報が登録されていない場合（Ｓ２０５ＮＯ）、警備システム端末２０は、その旨を応答するデータを画像形成装置３００に送信する（Ｓ２０７）。
【００８３】
装置情報の登録解除要求に対する応答データを警備システム端末２０から受信すると（Ｓ２０８）、画像形成装置３００は応答内容を解析し、登録解除に失敗した場合、あるいは、通知した装置情報が登録されていない場合（Ｓ２０９ＮＯ）、その旨を操作パネル３１１に表示するエラー処理を行う（Ｓ２１０）。
【００８４】
なお、図６、図７において、画像形成装置３００と警備システム端末２０との間における通信エラーが発生した場合においてもエラー処理を行う。
【００８５】
次に、警備システム端末２０による画像形成装置３００の管理を、画像形成装置３００から電源ＯＮ、電源ＯＦＦの際に通知される装置情報に基づいて、端末管理情報２５１の自動登録、自動登録解除を行う処理について説明する。
【００８６】
図８は、電源ＯＦＦ／ＯＮの操作に連動した画像形成装置３００における装置情報の登録要求、登録解除要求処理の動作を示すフローチャートである。
【００８７】
さらに、図９は、警備システム端末２０における端末管理情報２５１のメンテナンス処理の動作を示すフローチャートである。
【００８８】
画像形成装置３００は、電源ＯＦＦ、もしくは、電源ＯＮ操作にともなう、装置情報３２１の通知設定がある場合（Ｓ３０１ＹＥＳ）、その通知先となる警備システム端末情報３２２が設定されているか否かを判断する（Ｓ３０２）。
【００８９】
警備システム端末情報３２２が設定されている場合（Ｓ３０２ＹＥＳ）、画像形成装置３００は、電源制御部３１２にて検出した電源操作の種別を判断する（Ｓ３０３）。
【００９０】
電源ＯＮ操作の場合（Ｓ３０３ＯＮ）、画像形成装置３００は、装置情報３２１と電源ＯＮを通知して装置情報の登録を指示する情報を警備システム端末２０宛に送信する（Ｓ３０４）、警備システム端末２０から登録要求に対する応答データを受信し（Ｓ３０５）、応答データにて、装置情報の登録が成功した場合（Ｓ３０６ＹＥＳ）、画像形成装置３００は、以後電源ＯＮにともなう起動処理を実施して稼動開始する（Ｓ３０７）。
【００９１】
再度ステップＳ３０３の処理に戻り、電源制御の種別が電源ＯＦＦ操作の場合（Ｓ３０３ＯＦＦ）、画像形成装置３００は、装置情報３２１と、電源ＯＦＦ操作を通知して、端末管理情報２５１に対する装置情報の登録解除を指示する要求データを警備システム端末２０に送信する（Ｓ３０８）。警備システム端末２０から処理結果を受信して応答内容を解析し（Ｓ３０９）、装置情報の登録解除に成功した場合は（Ｓ３１０ＹＥＳ）、画像形成装置３００は、電源制御部３１２により電源ＯＦＦの制御を行う（Ｓ３１１）。
【００９２】
ステップＳ３０６あるいはステップＳ３１０の判定処理において、装置情報３２１の登録、登録解除処理に失敗した場合、あるいは、装置情報３２１が登録済み、あるいは、登録解除済みの場合は、その旨を操作パネル３１１に表示するエラー処理を行う（Ｓ３１２）。
【００９３】
次に、警備システム端末２０における端末管理情報２５１のメンテナンス処理について説明する。
【００９４】
警備システム端末２０は、ネットワーク５０を介して受信した装置情報３２１、電源操作種別の解析を行い（Ｓ４０１）、端末管理情報２５１に対する装置情報３２１の登録、登録解除の処理区分を、電源操作種別（解析した電源ＯＦＦ、電源ＯＮ）に基づいて判断する（Ｓ４０２）。
【００９５】
電源ＯＮ操作による装置情報の登録要求の場合（Ｓ４０２登録）、警備システム端末２０は、端末管理情報２５１に通知された装置情報が登録されているかを判断し、登録済みでない場合（Ｓ４０５ＮＯ）は、受信した装置情報を端末管理情報２５１に登録し（Ｓ４０６）、登録処理の結果を要求元の画像形成装置３００に送信する（Ｓ４０７）。
【００９６】
装置情報の登録解除である場合（Ｓ４０２登録解除）、警備システム端末２０は、端末管理情報２５１に通知された装置情報があるか否かを判断する（Ｓ４０３）。
【００９７】
装置情報が登録されている場合（Ｓ４０３ＹＥＳ）、警備システム端末２０は、通知された装置情報を端末管理情報２５１から削除し（Ｓ４０４）、装置情報の登録解除結果を応答するデータを要求元の画像形成装置３００宛に送信する（Ｓ４０７）。
【産業上の利用可能性】
【００９８】
本発明の画像形成装置、誤警報防止システムは、警備システムにて警備される画像形成装置が属する印刷システムにおいて、装置のレイアウト変更が頻繁に生じる場合、あるいは、画像形成装置の設定台数が多い場合に利用可能である。
【図面の簡単な説明】
【００９９】
【図１】本発明の画像形成装置および誤警報防止システムの例を示すシステム構成図。
【図２】警備システム端末の制御構成の例を示すブロック図
【図３】警備システム端末にて管理される端末管理情報の例を示す図。
【図４】図１に示した警備システム端末の制御構成を示すブロック図。
【図５】画像形成装置にて管理される電源制御情報、動作制御情報の例を示す図。
【図６】ＩＣカードの読み取り操作をともなう端末登録処理の動作を、警備システム端末、画像形成装置それぞれについて示すフローチャート。
【図７】端末登録解除処理の動作例を、警備システム端末、画像形成装置それぞれについて示すフローチャート。
【図８】画像形成装置において、電源ＯＦＦ、電源ＯＮ操作の通知に連動して画像形成装置の装置情報の登録、登録解除処理を自動で実施する場合の動作を示すフローチャート。
【図９】警備システム端末、画像形成装置の装置情報の登録、登録解除の動作を示すフローチャート。
【符号の説明】
【０１００】
１０    警備センタ装置
２０    警備システム端末
２１    システム制御部
２１１    リモート制御部
２２    通信制御部
２２１    ＩＰ網通信制御部
２２２    公衆網通信制御部
２３    操作表示部
２５    記憶部
２５１    端末管理情報
２５２    電源制御情報
２６    センサ管理部
３００    画像形成装置
３０１    画像形成装置制御部
３０２    リモート制御部
３０３    通信制御部
３０４    画像処理部
３０５    画像形成装置記憶部
３０６    ＩＣカード読み取り部
３０７    画像蓄積部
３０８    スキャナユニット
３０９    プリンタユニット
３１０    ＦＡＸユニット
３１１    操作パネル
３１２    電源制御部
３１３    電源制御情報
３１４    動作制御情報
３１５    蓄積文書管理情報
３１７    印刷禁止情報
３１８    転送制御情報
３１９    蓄積制御情報
３２０    転送文書管理情報
３２１    装置情報
３２２    警備システム端末情報
９０    ＩＣカードリーダ
９１    ＩＣカード
５０    ネットワーク
６０    警備センサ
７０    公衆回線
８３    警備エリア
【図１】
2006272701.tif 000003
【図２】
2006272701.tif 000004
【図３】
2006272701.tif 000005
【図４】
2006272701.tif 000006
【図５】
2006272701.tif 000007
【図６】
2006272701.tif 000008
【図７】
2006272701.tif 000009
【図８】
2006272701.tif 000010
【図９】
2006272701.tif 000011